(57)【要約】【課題】室内側から屋外側へ向かって的確に検出気体を送出することができる建造物の壁部の漏水箇所検出装置を提供する。【解決手段】建造物の壁部１３の漏水箇所１４を検出する装置１０１において、空気よりも軽い検出用気体が充填されたボンベ２と、一端側がボンベ２に接続可能でボンベ２から検出用気体が送出される送出ホース３と、送出ホース３の他端側が接続され検出用気体を注入するためのノズル４と、検出用気体を検出する検出器６と、を備え、室内側からノズル４を用いて漏水箇所１４へ注入された検出用気体を、屋外側で検出器６により検出することにより、壁部１３の漏水箇所１４が特定されるようにした。【選択図】図２
0003220468.tif 000002
【実用新案登録請求の範囲】
【請求項１】
空気よりも軽い検出用気体が充填されたボンベと、
一端側が前記ボンベに接続可能で、前記ボンベから前記検出用気体が送出される送出ホースと、
前記送出ホースの他端側が接続され、前記検出用気体を注入するためのノズルと、
前記検出用気体を検出する検出器と、を備えた建造物壁部の漏水箇所検出装置。
【請求項２】
前記検出用気体は、ヘリウムガスである請求項１に記載の建造物壁部の漏水箇所検出装置。
【請求項３】
一端側が建造物の上部に固定可能であり、他端側にて作業者を吊るすことが可能なロープを備えた請求項１または２に記載の建造物壁部の漏水箇所検出装置。
【考案の詳細な説明】
【技術分野】
【０００１】
本考案は、建造物の壁部の漏水箇所を検出する装置に関する。
【背景技術】
【０００２】
建造物の壁部の漏水箇所を検出する装置として、炭酸ガスが封入されたボンベに送気ホース及びノズルが備えられた送気装置と、炭酸ガスの検知具と、を備えたものが知られている（特許文献１及び特許文献２参照）。特許文献１では、建造物の屋上若しくは外壁面における予測された雨水浸入箇所から炭酸ガスを圧入し、漏水経路を経て建造物内に漏れ出る炭酸ガスを検知具により検知している。また、特許文献２では、室内の漏水箇所から炭酸ガスを送入し、屋根や外壁面等の外部において炭酸ガスの放出先を検知している。
【先行技術文献】
【特許文献】
【０００３】
【特許文献１】特許第５６７２６１８号公報
【特許文献２】特公昭６１-４４７１号公報
【考案の概要】
【考案が解決しようとする課題】
【０００４】
しかしながら、特許文献１の装置では、屋上等から室内側へ炭酸ガスが圧入されるため、空気より重い炭酸ガスが建造物内に充満し、検知具を操作する作業員が酸欠状態となるおそれがある。
また、特許文献２に記載の装置では、屋根の壁部の検査の際に、空気より重い炭酸ガスを室内側から上方へ向かって屋外側へ送出することは極めて困難である。特に、屋根裏や天井裏などといった室内側に多くの空間が存在するような鉄骨造または木造の建造物の場合、室内側から炭酸ガスを圧入して建造物外部に漏れ出てくる炭酸ガスを検知するのは事実上不可能である。
【０００５】
本考案は、前記事情に鑑みてなされたものであり、その目的とするところは、室内側から屋外側へ向かって的確に検出気体を送出することができる建造物壁部の漏水箇所検出装置を提供することにある。
【課題を解決するための手段】
【０００６】
本考案によれば、空気よりも軽い検出用気体が充填されたボンベと、一端側が前記ボンベに接続可能で、前記ボンベから前記検出用気体が送出される送出ホースと、前記送出ホースの他端側が接続され、前記検出用気体を注入するためのノズルと、前記検出用気体を検出する検出器と、を備えた建造物壁部の漏水箇所検出装置が提供される。
【０００７】
また、上記建造物壁部の漏水箇所検出装置において、前記検出用気体は、ヘリウムガスであることが好ましい。
【０００８】
また、上記建造物壁部の漏水箇所検出装置において、一端側が建造物の上部に固定可能であり、他端側にて作業者を吊るすことが可能なロープを備えることが好ましい。
【考案の効果】
【０００９】
本考案の建造物壁部の漏水箇所検出装置によれば、空気よりも軽い検出用気体を用いることにより、室内側から屋外側へ向かって的確に検出気体を送出することができる。
【図面の簡単な説明】
【００１０】
【図１】本考案の一実施形態を示す建造物壁部の漏水箇所検出装置を示す説明図である。
【図２】漏水箇所検出装置の他の実施形態を示す説明図である。
【考案を実施するための形態】
【００１１】
図１及び図２は本考案の一実施形態を示すものであり、図１は建造物壁部の漏水箇所検出装置の説明図、図２は漏水箇所検出装置の使用状態を示す説明図である。
【００１２】
図１に示すように、この建造物壁部の漏水箇所検出装置１は、空気よりも軽い検出用気体が充填されたボンベ２と、ボンベ２に一端側が接続される送出ホース３と、送出ホース３の他端側に接続されるノズル４と、一端側が検出用気体の検出口をなす検出ホース５と、検出ホース５の他端側が接続され検出用気体を検出する検出器６と、を備えている。本実施形態においては、検出ホース５の検出口に検出用プローブ７が設けられている。
【００１３】
本実施形態においては、ボンベ２に検出用気体としてヘリウムガスが充填され、ボンベ２内のヘリウムガスは、送出ホース３を通じ、ノズル４から所定箇所へ注入される。また、ヘリウムガスが検出用プローブ７近傍の雰囲気に含まれていると、検出ホース５を通じて検出器６によりヘリウムガスが検出される。
【００１４】
以上のように構成された漏水箇所検出装置１の使用方法を説明する。図１には、建造物の屋根における水平壁部１１の漏水個所１２を検出する様子を示している。
【００１５】
まず、ボンベ２、送出ホース３及びノズル４を建造物の室内側に、検出器６、検出ホース５及び検出用プローブ７を屋外側に、それぞれ配置する。そして、ノズル４を用いて、室内側から水平壁部１１の漏水箇所１２と思われる部分へヘリウムガスを注入する。水平壁部１１へ注入されたヘリウムガスは、漏水箇所１２を通じて屋外側へ放出される。このとき、ヘリウムガスは空気よりも軽いので、炭酸ガス等の空気より重い気体を用いた場合よりも、格段に屋外側へ抜けやすい。屋外側へ放出されたヘリウムガスを、水平壁部１１の屋外側にて、検出用プローブ７を用いて検出することにより、漏水箇所１２が特定される。尚、作業開始前に、漏水箇所１２のおおよその位置を、建造物の漏水状況から推定しておくと、漏水箇所１２の特定作業を効率良く行うことができる。
【００１６】
このように、本実施形態の建造物壁部の漏水箇所検出装置１によれば、空気よりも軽いヘリウムガスを用いることにより、室内側から屋外側へ向かって的確に検出気体を送出することができる。
【００１７】
尚、前記実施形態においては、漏水箇所検出装置１を用いて屋根の漏水箇所１２を検出するものを用いたが、例えば図２に示すように、外壁面の垂直壁部１３の漏水箇所１４を検出することも可能である。図２に示す壁部漏水箇所検出装置１０１は、ボンベ２、送出ホース３、ノズル４、検出ホース５、検出器６及び検出用プローブ７に加え、屋外作業者のためのロープ８を備えている。ロープ８は、一端側が建造物の上部に固定可能で、他端側にて作業者を吊るすことが可能である。これにより、足場のない場所であっても、建造物の外壁をくまなく調査することができ、漏水箇所１４の特定をより確実に行うことができる。
【００１８】
また、前記実施形態においては、検出用気体としてヘリウムガスを用いたものを示したが、空気より軽ければ他の気体であってもよいことは勿論である。
【００１９】
以上、本考案の実施形態を説明したが、上記に記載した実施形態は実用新案登録請求の範囲に係る考案を限定するものではない。また、実施形態の中で説明した特徴の組み合わせの全てが考案の課題を解決するための手段に必須であるとは限らない点に留意すべきである。
【符号の説明】
【００２０】
１  漏水箇所検出装置
２  ボンベ
３  送出ホース
４  ノズル
６  検出器
８  ロープ
１１  水平壁部
１２  漏水箇所
１３  垂直壁部
１４  漏水箇所
１０１ 漏水箇所検出装置
【図１】
0003220468.tif 000003
【図２】
0003220468.tif 000004